(57)【要約】【課題】誤った方向に板部材が折り曲げられて使用されるのを抑制することができる電子機器用スタンドを得る。【解決手段】電子機器用スタンド１００の板部材１０２の折り曲げ形態では、第二板部１２１と第二部分１２４とが重なり、第二板部１２１に設けられた磁性体１４０と第二部分１２４に設けられた磁性体１３０とが第二板部１２１と第二部分１２４との重なり方向に並んで磁力によって結合し、制限部１２２が第一板部１２０と第二板部１２１との折り曲げを制限し、防磁部材１３１，１４１が、重なり方向における第二板部１２１に設けられた磁性体１４０と第二部分１２４に設けられた磁性体１３０との外側に配置され、当該磁性体１３０，１４０の当該外側への磁力を弱める。【選択図】図１
2020091659.tif 000002
【特許請求の範囲】
【請求項１】
電子機器が装着される装着部と、
前記装着部と接続された板部材と、
を備え、
前記板部材は、
前記装着部と接続された一辺部と前記一辺部の反対側の他辺部とを有した第一板部と、
前記第一板部の前記他辺部と折り曲げ可能に接続された一辺部と当該一辺部の反対側の他辺部と、を有した第二板部と、
前記第一板部と折り曲げ可能に接続された第一部分と、前記第一部分と折り曲げ可能に接続されるとともに前記第二板部と折り曲げ可能に接続された第二部分と、を有した制限部と、
前記第二板部と前記第二部分とに設けられ、少なくとも一つが磁力を発生する複数の磁性体と、
前記第二板部と前記第二部分とのうち前記磁力を発生する前記磁性体が設けられた方に設けられた防磁部材と、
を有し、
前記第一板部と前記第二板部と前記制限部とが展開された展開形態と、前記第二板部の前記他辺部が前記電子機器を前記電子機器の背面側から支持するように前記第二板部が前記第一板部に対して折り曲げられ、前記第二板部と前記第二部分とが重なり、前記第二板部に設けられた前記磁性体と前記第二部分に設けられた前記磁性体とが前記第二板部と前記第二部分との重なり方向に並んで前記磁力によって結合し、前記制限部が前記第一板部と前記第二板部との折り曲げを制限する折り曲げ形態と、に変更可能であり、
前記防磁部材は、前記折り曲げ形態で、前記重なり方向における前記第二板部に設けられた前記第二板部に設けられた前記磁性体と前記第二部分に設けられた前記第二部分に設けられた前記磁性体との外側であって前記磁力を発生する前記磁性体の外側に配置され、当該磁力を発生する当該磁性体の当該外側への前記磁力を弱める、電子機器用スタンド。
【請求項２】
前記板部材は、前記展開形態から前記折り曲げ形態へ弾性変形し、
前記磁力は、前記折り曲げ形態において、前記板部材の前記弾性変形によって生じた弾性力に抗して、前記第二板部に設けられた前記磁性体と前記第二部分に設けられた前記磁性体とを結合する、請求項１に記載の電子機器用スタンド。
【請求項３】
前記第二板部と前記第二部分との少なくとも一方には、前記第一板部の前記一辺部に沿う第一方向に並べられ前記磁力を発生する複数の前記磁性体が設けられた、請求項１または２に記載の電子機器用スタンド。
【請求項４】
前記第一方向に並べられ前記磁力を発生する前記複数の磁性体において、隣り合う二つの磁極が異なる、請求項３に記載の電子機器用スタンド。
【請求項５】
前記装着部は、前記電子機器の背面の少なくとも一部を覆う壁を有し、
前記第二板部の前記他辺部は、前記折り曲げ形態において、前記壁と接触する、請求項１〜４のうちいずれか一つに記載の電子機器用スタンド。
【発明の詳細な説明】
【技術分野】
【０００１】
本発明は、電子機器用スタンドに関する。
【背景技術】
【０００２】
従来、展開形態と折り曲げ形態とに変更可能な板部材を備え、展開形態の板部材によってタブレット型パーソナルコンピュータ等の電子機器の表示画面等を覆うカバー機能と、折り曲げ形態の板部材によって電子機器を背面側から支えて所定の角度に立たせるスタンド機能と、を備えた電子機器用スタンドが知られている。
【先行技術文献】
【特許文献】
【０００３】
【特許文献１】特表２０１６−５３４４４９号公報
【発明の概要】
【発明が解決しようとする課題】
【０００４】
この種の電子機器用スタンドでは、例えば、板部材の折り曲げが正しい向きに行われないと、スタンド機能が発揮されない場合がある。
【０００５】
そこで、本発明の課題の一つは、誤った方向に板部材が折り曲げられて使用されるのを抑制することができる電子機器用スタンドを得ることである。
【課題を解決するための手段】
【０００６】
本発明の第一態様にかかる電子機器用スタンドは、電子機器が装着される装着部と、前記装着部と接続された板部材と、を備えている。前記板部材は、第一板部と、第二板部と、制限部と、複数の磁性体と、防磁部材と、を有している。前記第一板部は、前記装着部と接続された一辺部と前記一辺部の反対側の他辺部とを有している。前記第二板部は、前記第一板部の前記他辺部と折り曲げ可能に接続された一辺部と当該一辺部の反対側の他辺部と、を有している。前記制限部は、前記第一板部と折り曲げ可能に接続された第一部分と、前記第一部分と折り曲げ可能に接続されるとともに前記第二板部と折り曲げ可能に接続された第二部分と、を有している。前記複数の磁性体は、前記第二板部と前記第二部分とに設けられ、少なくとも一つが磁力を発生する。前記防磁部材は、前記第二板部と前記第二部分とのうち前記磁力を発生する前記磁性体が設けられた方に設けられている。前記板部材は、前記第一板部と前記第二板部と前記制限部とが展開された展開形態と、前記第二板部の前記他辺部が前記電子機器を前記電子機器の背面側から支持するように前記第二板部が前記第一板部に対して折り曲げられ、前記第二板部と前記第二部分とが重なり、前記第二板部に設けられた前記磁性体と前記第二部分に設けられた前記磁性体とが前記第二板部と前記第二部分との重なり方向に並んで前記磁力によって結合し、前記制限部が前記第一板部と前記第二板部との折り曲げを制限する折り曲げ形態と、に変更可能である。前記防磁部材は、前記折り曲げ形態で、前記重なり方向における前記第二板部に設けられた前記磁性体と前記第二部分に設けられた前記磁性体との外側であって前記磁力を発生する前記磁性体の外側に配置され、当該磁力を発生する当該磁性体の当該外側への前記磁力を弱める。
【０００７】
このような構成によれば、例えば、使用者によって第二板部と第二部分とが正しい向きに折り曲げられると、第二板部に設けられた磁性体と第二部分に設けられた磁性体との間の外側に防磁部材が位置するので、第二板部に設けられた磁性体と第二部分に設けられた磁性体とを結合させる磁力が防磁部材によって弱められない。一方、使用者によって第二板部と第二部分とが正しい向きの反対の誤った向きに折り曲げられると、第二板部に設けられた磁性体と第二部分に設けられた磁性体との間に防磁部材が位置するので、第二板部に設けられた磁性体と第二部分に設けられた磁性体とを結合させる磁力が防磁部材によって弱められる。よって、使用者に、第二板部と第二部分とが誤った向きに折り曲げられたことを認識させやすい。したがって、誤った方向に板部材が折り曲げられて使用されるのを抑制することができる。
【０００８】
また、前記電子機器用スタンドでは、例えば、前記板部材は、前記展開形態から前記折り曲げ形態へ弾性変形する。前記磁力は、前記折り曲げ形態において、前記板部材の前記弾性変形によって生じた弾性力に抗して、前記第二板部に設けられた前記磁性体と前記第二部分に設けられた前記磁性体とを結合する。
【０００９】
このような構成によれば、例えば、第二板部と第二部分とが正しい向きに折り曲げられる場合には、その折り曲げ過程で、第二板部に設けられた磁性体と第二部分に設けられた磁性体とを結合させる磁力によって第二板部と第二部分とが引き寄せられる。よって、第二板部と第二部分との折り曲げが容易になる。
【００１０】
また、前記電子機器用スタンドでは、例えば、前記第二板部と前記第二部分との少なくとも一方には、前記第一板部の前記一辺部に沿う第一方向に並べられ前記磁力を発生する複数の前記磁性体が設けられている。
【００１１】
このような構成によれば、磁力を発生する複数の磁性体の列の第一方向の幅と同等の幅の一つの磁石（磁力を発生する磁性体）を設ける場合と比べて、電子機器用スタンドの軽量化がしやすい。
【００１２】
また、前記電子機器用スタンドでは、例えば、前記第一方向に並べられ前記磁力を発生する前記複数の磁性体において、隣り合う二つの磁極が異なる。
【００１３】
このような構成によれば、第一方向に並べられ磁力を発生する複数の磁性体において、隣り合う二つの磁極が同じ場合に比べて、第一方向に並べられた複数の磁性体の全体の磁力を大きくすることができる。
【００１４】
また、前記電子機器用スタンドでは、例えば、前記装着部は、前記電子機器の背面の少なくとも一部を覆う壁を有し、前記第二板部の前記他辺部は、前記折り曲げ形態において、前記壁と接触する。
【００１５】
このような構成によれば、例えば、第二板部の他辺部が電子機器の背面に接触する構成に比べて、装着部に対する第二板部の折り曲げ角度の精度を高めやすい。
【発明の効果】
【００１６】
本発明の上記態様によれば、例えば、誤った方向に板部材が折り曲げられて使用されるのを抑制することができる電子機器用スタンドを得ことができる。
【図面の簡単な説明】
【００１７】
【図１】図１は、第一実施形態の電子機器用スタンドの例示的な斜視図であって、折り曲げ形態の板部材が電子機器を支持した状態の図である。
【図２】図２は、第一実施形態の電子機器用スタンドの例示的な斜視図であって、展開形態の板部材が電子機器の正面を覆った状態の図である。
【図３】図３は、第一実施形態の電子機器の例示的な斜視図である。
【図４】図４は、第一実施形態の電子機器用スタンドの例示的な斜視図であって、展開形態の板部材が装着部から離間した状態の図である。
【図５】図５は、第一実施形態の電子機器用スタンドの例示的な平面図であって、板部材が展開形態で装着部と重ねられた状態の図である。
【図６】図６は、図５のVI-VIに沿った断面の一部を示す断面図である。
【図７】図７は、第一実施形態の電子機器用スタンドの例示的な斜視図であって、装着部に電子機器が装着され、展開形態の板部材が装着部から離間した状態の図である。
【図８】図８は、第一実施形態の電子機器用スタンドの例示的な斜視図であって、装着部に電子機器が装着され、一部が折り曲げられた板部材が装着部から離間した状態の図である。
【図９】図９は、第二実施形態の電子機器用スタンドの例示的な平面図であって、板部材が展開形態で装着部と重ねられた状態の図である。
【図１０】図１０は、第三実施形態の電子機器用スタンドの例示的な平面図であって、板部材が展開形態で装着部と重ねられた状態の図である。
【図１１】図１１は、第四実施形態の電子機器用スタンドの例示的な平面図であって、板部材が展開形態で装着部と重ねられた状態の図である。
【図１２】図１２は、第五実施形態の電子機器用スタンドの例示的な平面図であって、板部材が展開形態で装着部と重ねられた状態の図である。
【図１３】図１３は、第六実施形態の電子機器用スタンドの例示的な平面図であって、板部材が展開形態で装着部と重ねられた状態の図である。
【図１４】図１４は、第七実施形態の電子機器用スタンドの例示的な平面図であって、板部材が展開形態で装着部と重ねられた状態の図である。
【発明を実施するための形態】
【００１８】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１９】
また、以下の複数の実施形態には、同様の構成要素が含まれている。それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００２０】
＜第一実施形態＞
図１は、第一実施形態の電子機器用スタンド１００の例示的な斜視図であって、折り曲げの板部材１０２が電子機器１を支持した状態の図である。図２は、第一実施形態の電子機器用スタンド１００の例示的な斜視図であって、展開形態の板部材１０２が電子機器１の正面を覆った状態の図である。
【００２１】
図１および図２に示されるように、電子機器用スタンド１００は、電子機器１が装着される装着部１０１と、板部材１０２と、装着部１０１および板部材１０２を接続した接続部１０３と、を備えている。板部材１０２は、折り曲げ形態（図１）と展開形態（２）とに変更可能である。電子機器用スタンド１００は、折り曲げ形態の板部材１０２によって電子機器１を載置面上で当該載置面に対して所定の角度に立たせるスタンド機構（図１）と、展開形態の板部材１０２によって電子機器１の正面１１ａを覆うカバー機能（図２）と、を備えている。折り曲げ形態は、折り曲げ姿勢とも称され、展開形態は、展開姿勢とも称される。電子機器用スタンド１００は、電子機器用カバースタンドとも称される。
【００２２】
図３は、第一実施形態の電子機器１の例示的な斜視図である。図３に示されるように、電子機器１は、例えば、タブレット型のパーソナルコンピュータとして構成されている。なお、電子機器１は、上記例には限定されず、例えば、映像表示装置、テレビジョン受像機、ゲーム機、映像表示制御装置、情報記憶装置等であってもよい。
【００２３】
以下、電子機器用スタンド１００によって電子機器１を立ち状態（起立状態）にしての使用形態（図１）を基準として、電子機器１を使用する使用者から見た方向で、手前側を前側（前方）、奥側を後側（後方）と称し、電子機器１の高さ方向を上下方向、電子機器の幅方向を左右方向Ｄとも称する。
【００２４】
電子機器１は、前面すなわち正面１ａと後面すなわち背面１ｂとを有している。また、電子機器１は、筐体２を備えている。筐体２には、ディスプレイユニット３、無線通信装置等の部品が収容されている。
【００２５】
筐体２の形状は、扁平な略直方体の箱形である。筐体２は、ディスプレイユニット３の表示画面３ａが露出する正面壁１１と、正面壁１１とは反対側に位置された背面壁１２と、正面壁１１と背面壁１２とに亘った複数の側壁１３〜１６と、を有している。
【００２６】
正面壁１１の形状は、正面視で四角形、具体的には正面視で長方形である。正面壁１１の正面１１ａおよび表示画面３ａは、透明部材１７によって覆われている。透明部材１７の正面は、電子機器１の正面１ａを構成する。また、背面壁１２の形状は、正面視で四角形、具体的には正面視で長方形である。背面壁１２の背面は、電子機器１の背面１ｂを構成する。
【００２７】
次に、電子機器用スタンド１００について詳細に説明する。図４は、第一実施形態の電子機器用スタンド１００の例示的な斜視図であって、展開形態の板部材１０２が装着部１０１から離間した状態の図である。
【００２８】
図４に示されるように、装着部１０１は、壁１１０と、四つの角支持部１１１と、を有している。壁１１０の形状は、正面視で四角形、具体的には正面視で長方形である。壁１１０には、開口部１１０ａと、複数の開口部１１０ｂと、が設けられている。各開口部１１０ａ，１１０ｂは、壁１１０の厚さ方向に壁１１０を貫通している。複数の開口部１１０ｂは、開口部１１０ａの下側に設けられるとともに、互いに間隔を空けて左右方向Ｄに並べられている。壁１１０における開口部１１０ａと複数の開口部１１０ｂとの間の部分は、左右方向Ｄに延びる延部１１０ｃと称される。
【００２９】
角支持部１１１は、壁１１０の四つの角部のそれぞれに設けられている。各角支持部１１１は、壁１１０から前方に延びている。上側の二つの角支持部１１１は、互いに一体化され、下側の二つの角支持部１１１は、互いに一体化されている。
【００３０】
このような構成の装着部１０１は、電子機器１が着脱可能に装着される。装着部１０１に電子機器１が装着された状態では、壁１１０が電子機器１の背面１ｂと接触して当該背面１ｂを支持し、四つの角支持部１１１が電子機器１の四つの角部と接触して当該電子機器１の四つの角部を支持する。装着部１０１は、装着された電子機器１とによって組立体２００を構成する。
【００３１】
接続部１０３は、装着部１０１の下側の一辺部と板部材１０２の下側の一辺部１２０ａとの間に介在している。接続部１０３は、装着部１０１の下側の一辺部と、左右方向Ｄに延びるヒンジ部Ｈ１によって折り曲げ可能に接続さるとともに、板部材１０２の一辺部１２０ａと、左右方向Ｄに延びるヒンジ部Ｈ２によって折り曲げ可能に接続されている。このような構成の接続部１０３は、板部材１０２を装着部１０１に対して装着部１０１の前側と後側とに折り曲げ可能に接続している。
【００３２】
図５は、第一実施形態の電子機器用スタンド１００の例示的な平面図であって、板部材１０２が展開形態で装着部１０１と重ねられた状態の図である。図６は、図５のVI-VIに沿った断面の一部を示す断面図である。なお、図６の一点鎖線で示される第二板部１２１は、折り曲げ形態の場合のものである。図７は、第一実施形態の電子機器用スタンド１００の例示的な斜視図であって、装着部１０１に電子機器１が装着され、展開形態の板部材１０２が装着部１０１から離間した状態の図である。図８は、第一実施形態の電子機器用スタンド１００の例示的な斜視図であって、装着部１０１に電子機器１が装着され、一部が折り曲げられた板部材１０２が装着部１０１から離間した状態の図である。
【００３３】
図４〜８に示されるように、板部材１０２は、一面１０２ａと、一面１０２ａの反対側の他面１０２ｂと、を有している。
【００３４】
また、板部材１０２は、第一板部１２０と、第二板部１２１と、制限部１２２と、複数の磁石１３０，１４０と、複数の防磁部材１３１，１４１と、を有している。
【００３５】
図５に示されるように、第一板部１２０は、一辺部１２０ａと一辺部１２０ａの反対側の他辺部１２０ｂとを有している。一辺部１２０ａは、第一板部１２０における接続部１０３側の辺部であり、左右方向Ｄに延びている。一辺部１２０ａは、ヒンジ部Ｈ２によって接続部１０３と折り曲げ可能に接続されている。他辺部１２０ｂは、第一部分１２０ｂａと、二つの第二部分１２０ｂｂと、を有している。二つの第二部分１２０ｂｂは、一辺部１２０ａから他辺部１２０ｂへ向かう方向Ｄ２において第一部分１２０ｂａよりも前方に位置されている。また、二つの第二部分１２０ｂｂの間に第一部分１２０ｂａが設けられている。第一部分１２０ｂａと二つの第二部分１２０ｂｂとは、それぞれ、左右方向Ｄに延びている。すなわち、他辺部１２０ｂは、左右方向Ｄに延びている。
【００３６】
第二板部１２１は、一辺部１２１ａと一辺部１２１ａの反対側の他辺部１２１ｂと、を有している。一辺部１２１ａは、第一部分１２１ａａと、二つの第二部分１２１ａｂと、を有している。二つの第二部分１２１ａｂは、他辺部１２１ｂから一辺部１２１ａへ向かう方向Ｄ１において第一部分１２１ａａよりも前方に位置されている。また、二つの第二部分１２１ａｂの間に第一部分１２１ａａが設けられている。第一部分１２１ａａと二つの第二部分１２１ａｂとは、それぞれ、左右方向Ｄに延びている。すなわち、一辺部１２１ａは、左右方向Ｄに延びている。二つの第二部分１２１ａｂは、それぞれ、第一板部１２０の他辺部１２０ｂにおける二つの第二部分１２０ｂｂとヒンジ部Ｈ３によって折り曲げ可能に接続されている。他辺部１２１ｂは、左右方向Ｄに延びている。
【００３７】
上記構成の第二板部１２１では、第二板部１２１の一面１０２ａと第一板部１２０の一面１０２ａとが互いに面するように、当該第二板部１２１が第一板部１２０に対して折り曲げられた状態で、他辺部１２１ｂが電子機器１を背面１１ｂ側から支持する（図１）。このとき、他辺部１２１ｂは、装着部１０１の延部１１０ｃに当接する。
【００３８】
図５に示されるように、制限部１２２は、第一部分１２３と、第二部分１２４と、を有して、板状に構成されている。制限部１２２は、第一板部１２０と第二板部１２１との間の角度が所定の角度よりも小さくならないように、第一板部１２０と第二板部１２１との折り曲げを制限（規制）する。すなわち、制限部１２２は、第一板部１２０と第二板部１２１との間の角度を所定の角度に保持する。制限部１２２は、規制部とも称される。
【００３９】
第一部分１２３は、一辺部１２３ａと一辺部１２３ａの反対側の他辺部１２３ｂと、を有している。一辺部１２３ａは、第一板部１２０の他辺部１２０ｂの第一部分１２０ｂａとヒンジ部Ｈ４によって折り曲げ可能に接続されている。一辺部１２３ａおよび他辺部１２３ｂは、左右方向Ｄに延びている。
【００４０】
第二部分１２４は、一辺部１２４ａと一辺部１２４ａの反対側の他辺部１２４ｂと、を有している。一辺部１２４ａは、第一部分１２３の他辺部１２３ｂとヒンジ部Ｈ５によって折り曲げ可能に接続されている。他辺部１２４ｂは、第二板部１２１の一辺部１２１ａにおける第一部分１２１ａａとヒンジ部Ｈ６を介して折り曲げ可能に接続されている。一辺部１２４ａおよび他辺部１２４ｂは、左右方向Ｄに延びている。板部材１０２の展開形態では、制限部１２２の左右の両側にスリットＳ１が形成される。第一部分１２３および第二部分１２４は、板部とも称される。
【００４１】
板部材１０２の折り曲げ形態（図１）では、制限部１２２の第二部分１２４の一面１０２ａと第二板部１２１の一面１０２ａとが接触するように第二部分１２４と第二板部１２１とが重なるとともに、第一部分１２３が第一板部１２０と第二板部１２１との間で突っ張る。これにより、制限部１２２は、第一板部１２０と第二板部１２１との折り曲げを制限する。
【００４２】
図６に示されるように、板部材１０２は、芯材１４３と、芯材１４３を覆った被覆部材１４２と、の組み合わせによって構成されている。芯材１４３は、例えば、合成樹脂材用によって構成されている。被覆部材１４２は、皮革や合成皮革（人工皮革）等によって構成されている。各ヒンジ部Ｈ１〜Ｈ６には、芯材１４３が設けられておらず、各ヒンジ部Ｈ１〜Ｈ６は、被覆部材１４２によって構成されている。このため、ヒンジ部Ｈ１〜Ｈ６は、弾性変形によって折り曲がり、折り曲げ形態では、復元力としての弾性力を生じる。
【００４３】
このような構成の板部材１０２は、上述のように、展開形態（図２）と折り曲げ形態（図１）とに変更可能である。展開形態（図２）は、第一板部１２０と第二板部１２１と制限部１２２とが展開された形態である。
【００４４】
折り曲げ形態（図１）は、第二板部１２１の他辺部１２１ｂが電子機器１を電子機器１の背面１ｂ側から支持するように第二板部１２１が第一板部１２０に対して折り曲げられ、第二板部１２１と第二部分１２４とが重なり、制限部１２２が第一板部１２０と第二板部１２１との折り曲げを制限する形態である。
【００４５】
板部材１０２を図２の展開形態から図１の折り曲げ形態に変更するには、使用者は、板部材１０２を電子機器１が装着された装着部１０１の背面側に折り曲げる（図７）。次に、使用者は、第二板部１２１の他辺部１２１ｂが電子機器１の背面１ｂに近づくように、第二板部１２１を折り曲げる。この折り曲げによって、制限部１２２の第一部分１２３と第二部分１２４とが折れ曲がり、最終的に板部材１０２が折り曲げ形態となる（図１）。
【００４６】
次に、複数の磁石１３０，１４０と複数の防磁部材１３１，１４１とについて説明する。図５および図６に示されるように、複数の磁石１３０，１４０は、制限部１２２の第二部分１２４と第二板部１２１とに設けられている。磁石１３０，１４０は、磁力を発生する磁性体の一例である。
【００４７】
第二部分１２４には、左右方向Ｄに互いに間隔を空けて並べられた二つの磁石１３０が設けられている。以後、二つの磁石１３０を区別する場合には、それらの磁石１３０を磁石１３０Ａ，１３０Ｂと称する。磁石１３０Ｂは、磁石１３０Ａの右側に位置している。
【００４８】
各磁石１３０は、一面１３０ａと、他面１３０ｂと、を有している。一面１３０ａは、第二部分１２４（板部材１０２）の一面１０２ａ側の面である。他面１３０ｂは、一面１３０ａの反対側すなわち第二部分１２４（板部材１０２）の他面１０２ｂ側の面である。磁石１３０Ａの一面１３０ａの磁極は、Ｓ極であり、磁石１３０Ｂの一面１３０ａの磁極は、Ｎ極である。すなわち、左右方向Ｄに並べられた複数の磁石１３０Ａ，１３０Ｂにおいて、隣り合う二つの磁極が異なる。左右方向Ｄは、第一方向の一例である。
【００４９】
防磁部材１３１は、第二部分１２４において、磁石１３０の他面１３０ｂ側で他面１３０ｂと重ねられている。防磁部材１３１は、他面１３０ｂの全体を覆っている。防磁部材１３１は、鉄やブリキ等の磁性体によって構成されている。防磁部材１３１は、磁化されていない。防磁部材１３１は、磁石１３０の一面１３０ａ側の磁力を強め、磁石１３０の他面１３０ｂ側の磁力を弱めるヨークとして機能する。なお、防磁部材１３１は、磁石１３０の一面１３０ａ側の磁力を強め、磁石１３０の他面１３０ｂ側の磁力を弱める機能を奏するのであれば、磁化されていてもよい。
【００５０】
第二板部１２１には、左右方向Ｄに互いに間隔を空けて並べられた二つの磁石１４０が設けられている。以後、二つの磁石１４０を区別する場合には、それらの磁石１４０を磁石１４０Ａ，１４０Ｂと称する。磁石１４０Ｂは、磁石１４０Ａの右側に位置している。磁石４０Ａ，１４０Ｂと磁石１３０Ａ，１３０Ｂとは、折り曲げ形態において、第二板部１２１と第二部分１２４との重なり方向、すなわち第二板部１２１および第二部分１２４の厚さ方向、に並ぶように配置されている。
【００５１】
各磁石１４０は、一面１４０ａと、他面１４０ｂと、を有している。一面１４０ａは、第二板部１２１（板部材１０２）の一面１０２ａ側の面である。他面１４０ｂは、一面１４３ａの反対側、すなわち第二板部１２１（板部材１０２）の他面１０２ｂ側の面である。磁石１４０Ａの一面１３０ａの磁極は、Ｎ極であり、磁石１４０Ｂの一面１３０ａの磁極は、Ｓ極である。すなわち、左右方向Ｄに並べられた複数の磁石１４０Ａ，１４０Ｂにおいて、隣り合う二つの磁極が異なる。
【００５２】
防磁部材１４１は、第二板部１２１において、磁石１４０の他面１４０ｂ側で他面１４０ｂと重ねられている。防磁部材１４１は、他面１４０ｂの全体を覆っている。防磁部材１４１は、鉄やブリキ等の磁性体によって構成されている。防磁部材１４１は、磁化されていない。防磁部材１４１は、磁石１４０の一面１４０ａ側の磁力を強め、磁石１４０の他面１３０ｂ側の磁力を弱めるヨークとして機能する。
【００５３】
上記構成においては、第二板部１２１に設けられた磁石４０Ａ，１４０Ｂと第二部分１２４に設けられた磁石１３０Ａ，１３０Ｂとは、折り曲げ形態において、第二板部１２１と第二部分１２４との重なり方向に並んで磁力によって結合する。このとき、防磁部材１３１，１４１は、第二板部１２１と第二部分１２４との重なり方向における磁石１３０と磁石１４０との外側に配置され（図６）、当該外側への磁石１３０，１４０の磁力を弱める。
【００５４】
また、磁石１３０，１４０の磁力は、折り曲げ形態において、板部材１０２のヒンジ部Ｈ１〜Ｈ６等の弾性変形によって生じた弾性力に抗して、第二板部１２１に設けられた磁石１４０と第二部分１２４に設けられた磁石１３０とを結合する。すなわち、磁石１３０，１４０の磁力は、折り曲げ形態において、板部材１０２のヒンジ部Ｈ１〜Ｈ６等の弾性変形によって生じた弾性力よりも大きい。
【００５５】
以上のように、本実施形態では、電子機器用スタンド１００の板部材１０２は、第一板部１２０と第二板部１２１と制限部１２２とが展開された展開形態と、第二板部１２１の他辺部１２１ｂが電子機器１を電子機器１の背面１ｂ側から支持するように第二板部１２１が第一板部１２０に対して折り曲げられ、第二板部１２１と第二部分１２４とが重なり、第二板部１２１に設けられた磁石１４０（磁性体）と第二部分１２４に設けられた磁石１３０（磁性体）とが第二板部１２１と第二部分１２４との重なり方向に並んで磁力によって結合し、制限部１２２が第一板部１２０と第二板部１２１との折り曲げを制限する折り曲げ形態と、に変更可能である。防磁部材１３１，１４１は、折り曲げ形態で、第二板部１２１と第二部分１２４との重なり方向における第二板部１２１に設けられた磁石１４０と第二部分１２４に設けられた磁石１３０との外側に配置され、当該磁石１３０，１４０の当該外側への磁力を弱める。
【００５６】
このような構成によれば、例えば、使用者によって第二板部１２１と第二部分１２４とが正しい向き（図１）に折り曲げられると、第二板部１２１に設けられた磁石１４０と第二部分１２４に設けられた磁石１３０との間の外側に防磁部材１３１，１４１が位置するので、第二板部１２１に設けられた磁石１４０と第二部分１２４に設けられた磁石１３０とを結合させる磁力が防磁部材１３１，１４１によって弱められない。一方、使用者によって第二板部１２１と第二部分１２４とが正しい向き（図１）の反対の誤った向きに折り曲げられると、第二板部１２１に設けられた磁石１４０と第二部分１２４に設けられた磁石１３０との間に防磁部材１３１，１４１が位置するので、第二板部１２１に設けられた磁石１４０と第二部分１２４に設けられた磁石１３０とを結合させる磁力が防磁部材１３１，１４１によって弱められる。よって、使用者に、第二板部１２１と第二部分１２４とが誤った向きに折り曲げられたことを認識させやすい。したがって、誤った方向に板部材１０２が折り曲げられて使用されるのを抑制することができる。
【００５７】
また、本実施形態では、第二板部１２１の他面１０２ｂと第二部分１２４の他面１０２ｂとが重ねられた場合、磁石１３０，１４０の磁力による磁石１３０，１４０間の結合力よりも、板部材１０２の弾性変形による弾性力の方が大きい。よって、誤って第二板部１２１の他面１０２ｂと第二部分１２４の他面１０２ｂとが重ねられた場合に、板部材１０２の弾性変形の弾性力によって第二板部１２１の第二部分１２４とが離間する。よって、誤った方向に板部材１０２が折り曲げられて使用されるのを抑制することができる。
【００５８】
また、本実施形態では、例えば、板部材１０２は、展開形態から折り曲げ形態へ弾性変形する。磁石１３０，１４０の磁力は、折り曲げ形態において、板部材１０２の弾性変形によって生じた弾性力に抗して、第二板部１２１に設けられた磁石１４０と第二部分１２４に設けられた磁石１３０とを結合する。
【００５９】
このような構成によれば、例えば、第二板部１２１と第二部分１２４とが正しい向きに折り曲げられる場合には、その折り曲げ過程で、第二板部１２１に設けられた磁石１４０と第二部分１２４に設けられた磁石１３０とを結合させる磁力によって第二板部１２１と第二部分１２４とが引き寄せられる。よって、第二板部１２１と第二部分１２４との折り曲げが容易になる。一方、第二板部１２１と第二部分１２４との間に防磁部材１３１，１４１が位置する誤った向きに第二板部１２１と第二部分１２４とが曲げられる場合には、第二板部１２１の磁石１４０と第二部分１２４の磁石１４０との間に作用する磁力は、板部材１０２の弾性変形による弾性力よりも小さい。よって、使用者に、第二板部１２１と第二部分１２４とを誤った向きに折り曲げたことを認識させやすい。
【００６０】
また、本実施形態では、例えば、第二板部１２１と第二部分１２４との少なくとも一方（一例として両方）には、一辺部１２０ａに沿う左右方向Ｄ（第一方向）に並べられ磁力を発生する複数の磁石１３０，１４０が設けられている。
【００６１】
このような構成によれば、磁力を発生する複数の磁石１３０，１４０の列の左右方向Ｄの幅と同等の幅の一つの磁石を設ける場合と比べて、電子機器用スタンド１００の軽量化がしやすい。
【００６２】
また、本実施形態では、例えば、左右方向Ｄに並べられ磁力を発生する複数の磁石１３０，１４０において、隣り合う二つの磁極が異なる。
【００６３】
このような構成によれば、左右方向Ｄに並べられ磁力を発生する複数の磁石において、隣り合う二つの磁極が同じ場合に比べて、左右方向に並べられた複数の磁石１３０，１４０の全体の磁力を大きくすることができる。
【００６４】
また、本実施形態では、例えば、装着部１０１は、電子機器１の背面１ｂの少なくとも一部を覆う壁１１０を有し、第二板部１２１の他辺部１２１ｂは、折り曲げ形態において、壁１１０と接触する。
【００６５】
このような構成によれば、例えば、第二板部の他辺部が電子機器１の背面１ｂに接触する構成に比べて、装着部１０１に対する第二板部１２１の折り曲げ角度の精度を高めやすい。
【００６６】
＜他の実施形態＞
次に、図９〜１４に示される第二〜第七実施形態について説明する。第二〜第七実施形態の電子機器用スタンド１００は、第一実施形態の電子機器用スタンド１００と同様の構成を備えている。よって、第二〜第七実施形態によっても、第一実施形態と同様の構成に基づく同様の結果（効果）が得られる。以下では、第二〜第七実施形態の電子機器用スタンドにおいて、第一実施形態の電子機器用スタンド１００に対して異なる構成を主に説明する。
【００６７】
＜第二実施形態＞
図９は、第二実施形態の電子機器用スタンド１００の例示的な平面図であって、板部材１０２が展開形態で装着部１０１と重ねられた状態の図である。
【００６８】
本実施形態では、磁石１３０Ａ，１３０Ｂの一面１３０ａの磁極が、それぞれ、Ｎ極である。すなわち、左右方向Ｄに並べられた複数の磁石１３０Ａ，１３０Ｂにおいて、隣り合う二つの磁極が同じである。
【００６９】
また、磁石１４０Ａ，１４０Ｂの一面１３０ａの磁極は、それぞれ、Ｓ極である。すなわち、左右方向Ｄに並べられた複数の磁石１４０Ａ，１４０Ｂにおいて、隣り合う二つの磁極が同じである。
【００７０】
＜第三実施形態＞
図１０は、第三実施形態の電子機器用スタンド１００の例示的な平面図であって、板部材１０２が展開形態で装着部１０１と重ねられた状態の図である。
【００７１】
本実施形態では、第二部分１２４において、磁石１３０Ａ，１３０Ｂの他に、磁石１３０Ｃが設けられている。磁石１３０Ｃは、磁石１３０Ｂの右側に設けられており、当該磁石１３０Ｃの一面１３０ａの磁極は、Ｓ極である。すなわち、左右方向Ｄに並べられた複数の磁石１３０Ａ，１３０Ｂ，１３０Ｃにおいて、隣り合う二つの磁極が異なる。
【００７２】
また、第二板部１２１において、磁石１４０Ａ，１４０Ｂの他に、磁石１４０Ｃが設けられている。磁石１４０Ｃは、磁石１４０Ｂの右側に設けられており、当該磁石１４０Ｃの一面１４０ａの磁極は、Ｎ極である。すなわち、左右方向Ｄに並べられた複数の磁石１４０Ａ，１４０Ｂ，１４０Ｃにおいて、隣り合う二つの磁極が異なる。
【００７３】
＜第四実施形態＞
図１１は、第四実施形態の電子機器用スタンド１００の例示的な平面図であって、板部材１０２が展開形態で装着部１０１と重ねられた状態の図である。
【００７４】
本実施形態では、磁石１３０Ａ，１３０Ｂが、第二部分１２４の一辺部１２４ａ他辺部１２４ｂとのうち一辺部１２４ａに寄せられている。このような構成によれば、磁石１３０Ａ，１３０Ｂが、第二部分１２４の一辺部１２４ａ他辺部１２４ｂとのうち一辺部１２４ａに寄せられている場合に比べて、磁石１３０，１４０がヒンジ部Ｈ５から遠くなるので、磁石１３０，１４０の結合力が大きくなりやすい。
【００７５】
＜第五実施形態＞
図１２は、第五実施形態の電子機器用スタンド１００の例示的な平面図であって、板部材１０２が展開形態で装着部１０１と重ねられた状態の図である。
【００７６】
本実施形態では、各磁石１３０の一面１３０ａに互いに異なる二つの磁極が着磁されている。すなわち、磁石１３０の一面１３０ａは、互いに異なる二つの磁極が着磁された二つの領域１３０ａａ，１３０ａｂを有している。同様に、各磁石１４０の一面１４０ａに互いに異なる二つの磁極が着磁されている。すなわち、磁石１４０の一面１４０ａは、互いに異なる二つの磁極が着磁された二つの領域１５０ａａ，１４０ａｂを有している。そして、左右方向Ｄに並べられ複数の磁石１３０，１４０において、隣り合う二つの磁極が異なる。このような構成によれば、磁石１３０，１４０の磁力を大きくしやすい。
【００７７】
＜第六実施形態＞
図１３は、第六実施形態の電子機器用スタンド１００の例示的な平面図であって、板部材１０２が展開形態で装着部１０１と重ねられた状態の図である。
【００７８】
本実施形態では、本実施形態では、各磁石１３０，１４０が一つずつ設けられている。このような構成によれば、磁石１３０，１４０がそれぞれ複数の場合に比べて、電子機器用スタンド１００の構成が簡素化される。
【００７９】
＜第七実施形態＞
図１４は、第七実施形態の電子機器用スタンド１００の例示的な平面図であって、板部材１０２が展開形態で装着部１０１と重ねられた状態の図である。
【００８０】
本実施形態では、第二部分１２４において、磁石１３０に代えて、磁化されていない磁性体１３２が一つ設けられている。磁性体１３２は、第二部分１２４の二つの磁石１４０の磁力によって、磁石１４０と結合する。
【００８１】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８２】
１…電子機器、１００…電子機器用スタンド、１０１…装着部、１０２…板部材、１１０…壁、１２０…第一板部、１２０ａ…一辺部、１２０ｂ…他辺部、１２１…第二板部、１２１ａ…一辺部、１２１ｂ…他辺部、１２２…制限部、１２３…第一部分、１２４…第二部分、１３０，１３０Ａ，１３０Ｂ，１４０，１４０Ａ，１４０Ｂ…磁石（磁性体）、１３２…磁性体、１３１，１４１…防磁部材。 
【図１】
2020091659.tif 000003
【図２】
2020091659.tif 000004
【図３】
2020091659.tif 000005
【図４】
2020091659.tif 000006
【図５】
2020091659.tif 000007
【図６】
2020091659.tif 000008
【図７】
2020091659.tif 000009
【図８】
2020091659.tif 000010
【図９】
2020091659.tif 000011
【図１０】
2020091659.tif 000012
【図１１】
2020091659.tif 000013
【図１２】
2020091659.tif 000014
【図１３】
2020091659.tif 000015
【図１４】
2020091659.tif 000016